(57)【要約】  光学ビュー・ファインダから被写体を覗いている場合でも手振れがあることをユーザが認識できるようにする。  固体電子撮像素子によって撮像された被写体像の一部89を液晶表示装置によって構成される電子ビュー・ファインダに表示する。光学ビュー・ファインダの対物窓を介して光学的に結像する被写体像85と，電子ビュー・ファインダに表示される被写体像の一部とが重ね合わせられる。手振れがある場合には重ね合わせられた被写体像の一部がぼけるので，その被写体像の一部を見ることにより，ユーザは手振れがあるかどうかが分る。
2014002658.tif 000002
【特許請求の範囲】
【請求項１】
カメラの前面に形成され，被写体に向く対物窓および上記対物窓を通して見える被写体を覗く接眼窓を備えた光学ビュー・ファインダ，
被写体を撮像し，被写体像を表わす画像データを出力する固体電子撮像装置，
上記固体電子撮像装置から出力された画像データによって表わされる被写体像の一部を表示画面に表示する表示装置，ならびに
上記表示装置の上記表示画面に表示されている被写体像の一部を，上記接眼窓から見える被写体に重なるように上記接眼窓に導く偏向装置，
を備えたカメラ。
【請求項２】
カメラの手振れを検出する手振れ検出手段，および
上記手振れ検出手段によって手振れが検出されたことに応じて手振れを報知する手振れ報知手段，
をさらに備えた請求項１に記載のカメラ。
【請求項３】
上記手振れ報知手段は，
上記表示装置の上記表示画面に，手振れしている旨の文字列または手振れしている旨を表わす画像を表示する，あるいは，上記被写体像の一部を囲む枠の形態を，手振れの有無に応じて変えることにより手振れを報知するものである，
請求項２に記載のカメラ。
【請求項４】
上記表示装置は，
上記光学ビュー・ファインダから覗いた主要被写体と上記固体電子撮像装置において撮像された被写体像のうちの主要被写体像とが上記表示装置の上記表示画面に表示された場合に，その主要被写体像と上記主要被写体とが一致するように上記被写体像の一部を上記表示画面に表示するものである，
請求項１から３のうち，いずれか一項に記載のカメラ。
【請求項５】
上記表示装置は，
カメラから主要被写体までの距離が所定距離以上離れている場合に，上記光学ビュー・ファインダから覗いた主要被写体と上記固体電子撮像装置において撮像された被写体像のうちの主要被写体像とが上記表示装置の上記表示画面に表示された場合に，その主要被写体像と上記主要被写体とが一致するように視差補正をして上記被写体像の一部を上記表示画面に表示するものである，
請求項４に記載のカメラ。
【請求項６】
上記固体電子撮像装置から出力された画像データを記録媒体に記録する記録制御手段，
をさらに備えた請求項１から５のうち，いずれか一項に記載のカメラ。
【請求項７】
カメラの前面に形成され，被写体に向く対物窓および上記対物窓を通して見える被写体を覗く接眼窓を備えた光学ビュー・ファインダを備えたカメラの動作制御方法において，
固体電子撮像装置が，被写体を撮像し，被写体像を表わす画像データを出力する，
表示装置が，上記固体電子撮像装置から出力された画像データによって表わされる被写体像の一部を表示画面に表示し，
偏向装置が，上記表示装置の上記表示画面に表示されている被写体像の一部を，上記接眼窓から見える被写体に重なるように上記接眼窓に導く，
カメラの動作制御方法。
【発明の詳細な説明】
【技術分野】
【０００１】
この発明は，カメラおよびその動作制御方法に関する。
【背景技術】
【０００２】
カメラには，被写体に向く対物窓とユーザが覗く接眼窓を有する光学ビュー・ファインダが形成されていることがある。ユーザは，カメラの光学ビュー・ファインダを覗きながら，画角を決定して撮影する。【０００３】
光学ビュー・ファインダによって見える光学的な被写体像に，液晶表示装置の表示画面に表示される視野枠などの情報を重ねて表示させることのできるファインダ装置も実現されている（特許文献１）。また，ファインダ内の別々の領域に光学ビュー・ファインダから得られる被写体像と，固体電子撮像装置から得られる被写体像とを表示するものもある（特許文献２）。
【先行技術文献】
【特許文献】
【０００４】
【特許文献１】特開2012-65294号公報
【特許文献２】特開2008-244511号公報
【発明の概要】
【発明が解決しようとする課題】
【０００５】
しかしながら，カメラに手振れがあった場合には，撮像される被写体像がぶれているにも関わらず，光学ビュー・ファインダで被写体を見ているだけでは撮像される被写体像がぶれていることが分らないことがある。このために，見ている被写体はぶれていないにも関わらず撮像された被写体像はぶれていることとなる。特許文献１，２においても，手振れがあった場合の被写体像がどのような状況にあるかを知ることはできない。【０００６】
この発明は，光学ビュー・ファインダから被写体を覗いている場合であっても，手振れのときには撮像される被写体像の様子が分るようにすることを目的とする。
【課題を解決するための手段】
【０００７】
この発明によるカメラは，カメラの前面に形成され，被写体に向く対物窓および対物窓を通して見える被写体を覗く接眼窓を備えた光学ビュー・ファインダ，被写体を撮像し，被写体像を表わす画像データを出力する固体電子撮像装置，固体電子撮像装置から出力された画像データによって表わされる被写体像の一部を表示画面に表示する表示装置，ならびに表示装置の表示画面に表示されている被写体像の一部を，接眼窓から見える被写体に重なるように接眼窓に導く偏向装置を備えていることを特徴とする。【０００８】
この発明は，カメラに適した動作制御方法も提供している。すなわち，カメラの前面に形成され，被写体に向く対物窓および対物窓を通して見える被写体を覗く接眼窓を備えた光学ビュー・ファインダを備えたカメラの動作制御方法において，固体電子撮像装置が，被写体を撮像し，被写体像を表わす画像データを出力し，表示装置が，固体電子撮像装置から出力された画像データによって表わされる被写体像の一部を表示画面に表示し，偏向装置が，表示装置の表示画面に表示されている被写体像の一部を，接眼窓から見える被写体に重なるように接眼窓に導くものである。【０００９】
この発明によると，固体電子撮像装置によって撮像された被写体像の一部が表示装置の表示画面に表示される。表示された被写体像の一部は，光学ビュー・ファインダの接眼窓から見える光学的な被写体像と重なるように接眼窓に導かれる。固体電子撮像装置によって撮像された被写体像の一部が光学ビュー・ファインダの接眼窓から見える光学的な被写体像に重なるので，その重なり状態を目で見ることにより，撮像される被写体像がぶれているかどうかが分る。また，光学ビュー・ファインダの接眼窓から見える光学的な被写体像に重なるのは撮像された被写体像の一部なので，残りの部分によって被写体を確認でき，画角を決定できる。【００１０】
カメラの手振れを検出する手振れ検出手段，および手振れ検出手段によって手振れが検出されたことに応じて手振れを報知する手振れ報知手段をさらに備えてもよい。【００１１】
手振れ報知手段は，たとえば，表示装置の表示画面に，手振れしている旨の文字列または手振れしている旨を表わす画像を表示する，あるいは，被写体像の一部を囲む枠の形態を，手振れの有無に応じて変えることにより手振れを報知するものである。【００１２】
表示装置は，光学ビュー・ファインダから覗いた主要被写体と固体電子撮像装置において撮像された被写体像のうちの主要被写体像とが表示装置の表示画面に表示された場合に，その主要被写体像と主要被写体とが一致するように視差補正して被写体像の一部を表示画面に表示するものでもよい。【００１３】
表示装置は，カメラから主要被写体までの距離が所定距離以上離れている場合に，光学ビュー・ファインダから覗いた主要被写体と固体電子撮像装置において撮像された被写体像のうちの主要被写体像とが表示装置の表示画面に表示された場合に，その主要被写体像と主要被写体とが一致するように被写体像の一部を表示画面に表示するものでもよい。【００１４】
固体電子撮像装置から出力された画像データを記録媒体に記録する記録制御手段をさらに備えてもよい。
【図面の簡単な説明】
【００１５】
【図１】ディジタル・カメラの正面図である。
【図２】ディジタル・カメラの背面図である。
【図３】ディジタル・カメラを背面から見た斜視図である。
【図４】ディジタル・カメラの電気的構成を示すブロック図である。
【図５】レンズ鏡筒と光学ビュー・ファインダの位置関係を示している。
【図６】レンズ鏡筒と光学ビュー・ファインダの視差角を示している。
【図７】光学ビュー・ファインダの構造を示している。
【図８】ディジタル・カメラと主要被写体との関係を示している。
【図９】光学的な被写体像および電子ビュー・ファインダに表示される画像を示している。
【図１０】光学的な被写体像と電子ビュー・ファインダに表示される画像との重畳画像である。
【図１１】電子ビュー・ファインダに表示される画像である。
【図１２】光学的な被写体像と電子ビュー・ファインダに表示される画像との重畳画像である。
【図１３】ディジタル・カメラの処理手順を示すフローチャートである。
【図１４】ディジタル・カメラの処理手順を示すフローチャートである。
【図１５】電子ビュー・ファインダに表示される画像を示している。
【図１６】光学的な被写体像と電子ビュー・ファインダに表示される画像との重畳画像である。
【図１７】電子ビュー・ファインダに表示される画像を示している。
【図１８】光学的な被写体像と電子ビュー・ファインダに表示される画像との重畳画像である。
【図１９】電子ビュー・ファインダに表示される画像を示している。
【図２０】光学的な被写体像と電子ビュー・ファインダに表示される画像との重畳画像である。
【発明を実施するための形態】
【００１６】
図１から図３は，この発明の実施例を示すもので，ディジタル・カメラ１の外観を示している。図１は正面図，図２は背面図，図３は背面から見た斜視図である。
【００１７】
図１を参照して，ディジタル・カメラ１の正面のほぼ中心に前方に突出したレンズ鏡筒２が設けられている。ディジタル・カメラ１の右上には，光学ビュー・ファインダを構成し，被写体に向く対物窓３が形成されている。この対物窓３の左側にはストロボ発光装置４が設けられている。
【００１８】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００１９】
図２および図３を参照して，ディジタル・カメラ１の背面のほぼ全体に渡って液晶表示装置12が設けられている。ディジタル・カメラ１の背面の左上には光学ビュー・ファインダを構成する接眼窓11が形成されている。ディジタル・カメラ１の背面の右上には，左右に動かすことができるコマンド・レバー10が設けられている。ユーザは，コマンド・レバーを操作することにより，マニアル露出時の１／３ＥＶステップでの絞り調整などの指令をディジタル・カメラ１に与えることができる。
【００２０】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００２１】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００２２】
光学ビュー・ファインダの接眼窓11に目を近づけて接眼窓11から覗くことにより，対物窓３および接眼窓11を介して被写体を見ることができ，カメラ・アングルを決定できる。
【００２３】
図４は，ディジタル・カメラ１の電気的構成を示すブロック図である。
【００２４】
ディジタル・カメラ１の全体の動作は，ＣＰＵ20によって統括される。
【００２５】
上述したように，ディジタル・カメラ１には，シャッタ・スピード・ダイアル６，電源レバー７，露出ダイアル９などの操作スイッチ類23が設けられている。操作スイッチ類23からの操作信号は，ＣＰＵ20に入力する。また，電源レバー７による電源のオン，オフを示す信号もＣＰＵ20に入力する。また，撮影モードと再生モードの切り替えスイッチ21からの切替信号もＣＰＵ20に入力する。
【００２６】
ディジタル・カメラ１には，固体電子撮像素子34が含まれている。この固体電子撮像素子34の前方には，ズーム・レンズ31，絞り32およびフォーカス・レンズ33が設けられている。ズーム・レンズ31はモータ・ドライバ37によってズーム量が制御され，絞り32はモータ・ドライバ38によって絞り値が制御され，フォーカス・レンズ33はモータ・ドライバ39によってフォーカス位置が制御される。
【００２７】
固体電子撮像素子34の受光面上に被写体像が結像すると，タイミング・ジェネレータ40によって固体電子撮像素子34が制御され，被写体像を表わす映像信号が固体電子撮像素子34から出力する。固体電子撮像素子34から出力された映像信号は，ＣＤＳ（相関二重サンプリング）増幅回路35において相関二重サンプリングが行われる。ＣＤＳ増幅回路35から出力された映像信号は，アナログ／ディジタル変換回路36においてディジタル画像データに変換される。
【００２８】
ディジタル画像データは，画像入力コントローラ41を介してＡＦ（自動焦点調節）検出回路46に入力する。入力したディジタル画像データにもとづいて，合焦制御信号が生成され，生成された合焦制御信号がＣＰＵ20に入力する。この合焦制御信号にもとづいて，モータ・ドライバ39が制御され，フォーカス・レンズ33が位置決めされる。ＡＦ検出回路46において，後述するＡＦターゲット枠94によって特定される主要被写体までの距離も算出される。必要であれば主要被写体までの距離を測定する測距装置がディジタル・カメラ１に設けられよう。また，画像入力コントローラ41から出力したディジタル画像データは，ＡＥ（自動露光）／ＡＷＢ（自動白バランス）検出回路47にも入力する。ＡＥ／ＡＷＢ検出回路47において露光制御信号および白バランス調整信号が生成される。生成された露光制御信号は，ＣＰＵ20に入力する。この露光制御信号にもとづいて，モータ・ドライバ38が制御され，絞り32の絞り値が制御される。また，ＡＥ／ＡＷＢ検出回路47において生成された白バランス調整信号は，画像信号処理回路42に入力する。画像入力コントローラ41から出力された画像データも，画像信号処理回路42にも入力する。画像信号処理回路42において，白バランス調整信号にもとづいて，画像データの白バランス調整が行われる。
【００２９】
画像信号処理回路42から出力された画像データは，ビデオ・エンコーダ44を介して液晶表示装置11に与えられる。液晶表示装置11の表示画面に撮像された被写体像が表示される。
【００３０】
上述したように，ディジタル・カメラには，光学ビュー・ファインダ60が含まれている。
【００３１】
光学ビュー・ファインダ60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｃ３に対して45度の入射角となるように形成されている。このプリズム63の前方にＯＶＦ（光学ビュー・ファインダ）シャッタ（機械シャッタでもよいし，液晶シャッタでもよい）62および対物レンズ61が設けられている。また，光学ビュー・ファインダ60には，電子ビュー・ファインダ65も設けられている。電子ビュー・ファインダ65は，液晶表示装置である。この電子ビュー・ファインダ65には，ビデオ・エンコーダ44から出力される様々な情報等を表すデータが入力する。電子ビュー・ファインダ65には，様々な情報等が表示されることとなる。ＯＶＦシャッタ62が閉じられているときには，電子ビュー・ファインダ65に撮像により得られた画像データが入力することにより，電子ビュー・ファインダ65の表示画面に撮像により得られた被写体像が表示される。
【００３２】
ＯＶＦシャッタ62が開いていると，対物レンズ61および接眼レンズ66によって結像した被写体ＯＢの被写体像を接眼窓11から見ることができる。また，ＯＶＦシャッタ62が開いているときに電子ビュー・ファインダ65の表示画面に様々な情報などが表示されると，その情報を表わす光線束がハーフミラー64によって反射し，ユーザが見ることができる。対物レンズ61等によって結像した光学的な被写体像上に電子ビュー・ファインダ65の表示画面に表示される情報等を重ねて見ることができる。
【００３３】
とくに，この実施例では，ＯＶＦシャッタ62を開けた状態で電子ビュー・ファインダ65の一部に固体電子撮像素子34によって撮像された被写体像の一部を表示させることもできる。電子ビュー・ファインダ65に表示された被写体像の一部は，対物窓61を介して見える光学的な被写体像と重なる。手振れが無ければ電子ビュー・ファインダの一部と対物窓61を介して見える光学的な被写体像とは，ずれていない筈であるが，手振れがあるとずれることとなる。その重なっている状態を見ることにより，手振れがあるかどうかが分る。
【００３４】
接眼窓11の近傍には，アイ・センサ67が取り付けられている。ユーザの目が接眼窓11に近づいたことがアイ・センサ67によって検出される。すると，ＯＶＦシャッタ62が開かれ，被写体ＯＢの光学像を接眼窓11から見ることができる。アイ・センサ67によってユーザの目が接眼窓11に近づいたことが検出されていないとＯＶＦシャッタ62は閉じられる。被写体像が液晶表示装置11に表示され，液晶表示装置11に表示されている被写体像を見ながら，カメラ・アングルを決定することとなる。アイ・センサ67によってユーザの目が接眼窓11に近づいたことが検出されている場合であってもＯＶＦシャッタ62をオフにし，電子ビュー・ファインダ65に被写体像を表わす画像データを入力し，接眼窓11から電子ビュー・ファインダ65に表示される被写体像を見ることもできる。
【００３５】
さらに，ディジタル・カメラ１には，顔検出回路48，動体検出回路49，手振れ検出回路55なども含まれている。手振れ検出回路55は，ディジタル・カメラ１が手振れの状態にあるかどうかを検出する回路である。
【００３６】
シャッタ・レリーズ・ボタン８が押されると，上述のようにして画像信号処理回路42から出力された画像データはメモリ50に一時的に記憶される。画像データはメモリ50から読み出され，圧縮処理回路47に入力する。圧縮処理回路47において所定の圧縮処理が行われる。圧縮された画像データはメモリ50に与えられ，一時的に記憶される。圧縮された画像データはメモリ50から読み出され，メモリ・カード・コントローラ51によってメモリ・カード52に記録される。
【００３７】
再生モードが設定されると，メモリ・カード52に記録されている画像データが読み出され，読み出された画像データによって表わされる画像が液晶表示装置11の表示画面に表示される。
【００３８】
さらに，メモリ50には，電子ビュー・ファインダ65に表示する情報を表わす画像データ，様々な情報を表わすデータも格納されている。これらのデータが読み出され，ビデオ・エンコーダ44を介して電子ビュー・ファインダ65に与えられることにより，様々な情報が電子ビュー・ファインダ65の表示画面に表示される。
【００３９】
図５は，ディジタル・カメラ１を正面から見たときのレンズ鏡筒２と対物窓３との関係を示している。
【００４０】
レンズ鏡筒２の光軸Ｃ２と光学ファインダ60（対物窓３）の光軸Ｃ３とは，距離ｄだけ離れており，視差がある。このために，接眼窓３を介して見た被写体像とレンズ鏡筒２によって撮像した被写体像との間にズレが生じることがある。上述したように，固体電子撮像素子34によって撮像した被写体像の一部を電子ビュー・ファインダ65に表示し，対物窓３を介して結像した光学的な被写体像に重ねると，この視差のために，手振れが無かったとしても電子ビュー・ファインダ65に表示された被写体像の一部と光学的な被写体像とが一致しないことがある。このために，この実施例では，手振れが無い場合には電子ビュー・ファインダ65に表示された被写体像の一部と光学的な被写体像とが一致するように，必要に応じて視差補正が行われる。
【００４１】
図６は，レンズ鏡筒２を介して主要被写体ＯＢを見た（撮像）場合と光学ビュー・ファインダ60の接眼窓３から被写体ＯＢを見た様子を示している。
【００４２】
上述したように，レンズ鏡筒２の光軸Ｃ２と接眼窓３の光軸Ｃ３との間の距離はｄである。また，レンズ鏡筒２から主要被写体ＯＢまでの距離をＤとする。すると，レンズ鏡筒２から被写体ＯＢまでと，接眼窓３から被写体ＯＢまでとが，なす視差角度θは，θ＝arctan(d/D)となる。すなわち，レンズ鏡筒２から主要被写体ＯＢを見た場合には正面に見える主要被写体ＯＢは，接眼窓３（光学ビュー・ファインダ60）からはθの視差角度だけずれて見えることとなる。
【００４３】
図７は，光学ビュー・ファインダ60の構造を示している。図７の上図は，光学ビュー・ファインダ60を図４と同様に平面的に示すもので，図７の下図は光学ビュー・ファインダ60を立体的に示すものである。これらの図において，図４に示すものと同一物について同一符号が付されている。
【００４４】
図６に示したように，接眼窓３から主要被写体ＯＢを見ると光学ビュー・ファインダ60の光軸からθの視差角度だけずれるので，接眼窓３を介して結像される光学的な被写体像に電子ビュー・ファインダ65に表示される被写体像の一部を一致させるためには，被写体像の一部を視差角度θだけずらして表示させればよいこととなる。もちろん，接眼窓３とレンズ鏡筒２との配置位置と液晶ビュー・ファインダ60の配置位置との位置関係に応じて被写体像の一部をずらす角度の方向が決定されるのはいうまでもない。
【００４５】
図８は，ディジタル・カメラ１と主要被写体ＯＢ１，ＯＢ２およびＯＢ３との位置関係を平面的に見たものである。
【００４６】
主要被写体ＯＢ１がディジタル・カメラ１から比較的遠い位置にある場合には，接眼窓３から主要被写体ＯＢ１を見た場合，接眼窓３の光軸からのなす視差角度はθ１である。同様に主要被写体ＯＢ２がディジタル・カメラ１から遠くも近くも無い中くらいの位置にある場合には接眼窓３から主要被写体ＯＢ２を見た場合，接眼窓３の光軸からのなす視差角度はθ２である。さらに，主要被写体ＯＢ３がディジタル・カメラ１から近い位置にある場合，接眼窓３の光軸からのなす視差角度はθ３である。これらの視差角度θ１，θ２およびθ３は，θ１＜θ２＜θ３となる。主要被写体ＯＢ１のようにディジタル・カメラ１からの距離が遠い場合，視差角が小さいので，上述したように，接眼窓３を介して見える光学的な被写体像と電子ビュー・ファインダ65に表示される被写体像の一部とのずれはほとんどない。このために，主要被写体ＯＢ１のようにディジタル・カメラからの距離が遠い場合には上述した視差補正は必ずしも必要ない。
【００４７】
図９の上図は，対物窓３を介して光学的に結像される被写体像85の一例である。
【００４８】
ユーザの目が接眼窓11に近づいており，ＯＶＦシャッタ62が開いていると，ユーザは，対物レンズ61および接眼レンズ66によって結像された光学的な被写体像85を見る。
【００４９】
図９の下図は，電子ビュー・ファインダ65に表示される画像88の一例である。
【００５０】
ユーザの目が接眼窓11の近傍にあるとアイ・センサ67によって検知されると，電子ビュー・ファインダ65の表示画面に，図９の下図に示す画像88が表示される。
【００５１】
画像88には，撮影範囲を示す視野枠90が形成されている。
【００５２】
視野枠90の右側１／３程度の領域が確認表示領域89として規定されている。この確認表示領域89に，上述したように固体電子撮像素子34によって撮像された被写体像の一部が表示されている。図９の下図に示す例では，手振れがある状態で固体電子撮像素子によって撮像された被写体像の一部が確認表示領域89に表示されている。したがって，確認表示領域89内の画像はぼけている。視野枠90内において確認表示領域89を除く領域には，固体電子撮像素子34によって撮像された被写体像は表示されていない。確認表示領域89には，確認表示領域89であることがユーザに分るように枠89Ａが形成されている。
【００５３】
視野枠90の右上には，撮影可能枚数を示す数字92および画像サイズを示す符号93が表示されている。また，視野枠90の中央にはＡＦターゲット・マーク94が表示されている。このＡＦターゲット・マーク94で特定される被写体が主要被写体となる。視野枠90の左下には露出補正のバー95も表示されている。さらに，視野枠90の下には被写界深度表示のバー96，露出モードの符号97，シャッタ速度98，絞り値99およびＩＳＯ感度100も表示されている。
【００５４】
図10は，図９の上図に示す光学像85上に図９の下図に示す電子ビュー・ファインダ65に表示される画像88が重ねられた画像を示している。
【００５５】
電子ビュー・ファインダ65に表示された，表示確認領域89内の被写体像の一部，視野枠90等の情報を表わす光線束は，ハーフミラー64によって接眼窓11を覗いているユーザの目に届くから，図９に示すように被写体像を表わす光学像85上に電子ビュー・ファインダ65に表示されている視野枠90等の情報が重ねられた画像をユーザは見ることとなる。
【００５６】
とくに，この実施例では，表示確認領域89内に固体電子撮像素子34によって撮像された被写体像の一部が表示されており，その被写体像の一部は対物窓３を介して見える光学的な被写体像と重なっている。手振れがあると，固体電子撮像素子34によって撮像された被写体像はぼけてしまうので，電子ビュー・ファインダ65に表示される被写体像の一部もぼけてしまう（図10に示す例においても表示確認領域89内の画像はぼけている）。表示確認領域89内の被写体像の一部を見ることにより，ユーザは手振れが起きていることが分る。
【００５７】
とくに，視野枠90内において表示確認領域89の左側の領域には固体電子撮像素子34によって撮像された被写体像は表示されずに対物窓３を介して結像した光学的な被写体像がそのまま見えるので，その光学的な被写体像と表示確認領域89に表示されている被写体像とを比較することにより，手振れがある場合に，より分りやすくなる。また，手振れ検出回路55により手振れが検出された場合には，表示確認領域89の枠89Ａを赤色とし，手振れが検出されない場合には表示確認領域89の枠89Ａを青色とするようにしてもよい。このように手振れの有無に応じて表示確認領域89の枠89Ａの表示形態を変えることにより，手振れの有無がより分りやすくなる。
【００５８】
図11は，電子ビュー・ファインダ65に表示される画像88の一例である。この図は図９の上図に対応している。
【００５９】
図11は，手振れが起きていないときに電子ビュー・ファインダ65に表示される画像88の一例である。手振れが無いので，表示確認領域89内の被写体像の一部はぼけていない。
【００６０】
図12は，対物窓３を介して結像される光学的な被写体像（図９の上図参照）85上に，図11に示す電子ビュー・ファインダ65に表示される画像88を重ねた画像の一例である。図12に示す例は，図10に示す図に対応している。
【００６１】
図10に示す例と異なり，図12に示す例では，手振れが起きていないので，表示確認領域89内の画像はぼけていない。表示確認領域89内の画像がぼけていないことを確認することにより，固体電子撮像素子34を用いて撮像された被写体像もぶれていないことが分る。たとえば，枠89Ａは青色とされる。
【００６２】
図13は，ディジタル・カメラ１の処理手順を示すフローチャートである。撮像モードに設定されているものとする。
【００６３】
ディジタル・カメラ１の電源レバー７により電源がオンされると，上述したようにアイ・センサ67によってユーザが光学ビュー・ファインダ60の接眼窓11を覗いているかどうかが確認される（ステップ71）。アイ・センサ67によってユーザの目を検知できなければ，ユーザは光学ビュー・ファインダ60の接眼窓11を覗いているとは判断されない（ステップ71でＮＯ）。このために液晶表示装置11に，撮像によって得られた被写体像が表示される（ステップ72）。
【００６４】
アイ・センサ67によってユーザの目が検知され，ユーザが光学ビュー・ファインダ60の接眼窓11を覗いていると判断されると（ステップ71でＹＥＳ），センサ検知表示切替／ＯＶＦモードに設定される（ステップ73）。ＯＶＦシャッタ62が開き，接眼窓11を覗いているユーザは，光学的な被写体像を見ることができる。
【００６５】
つづいて，操作スイッチ類23に含まれるモード設定スイッチ（図示略）によって手振れ検出モードが設定されているかどうかが確認される（ステップ74）。手振れ検出モードが設定されていなければ（ステップ74でＮＯ），電子ビュー・ファインダ65には被写体像の一部は表示されない。電子ビュー・ファインダ65には視野枠などの所定の情報が表示され，接眼窓３を介して結像される光学的な被写体像に，それらの情報が重ねて表示される（通常ハイブリッド表示）（ステップ75）。
【００６６】
手振れ検出モードが設定されていると（ステップ74でＹＥＳ），ＡＦ検出回路46を用いてＡＦ処理が行われる（ステップ76）。ＡＦ処理において主要被写体までの距離が算出される。算出された主要被写体までの距離とレンズ鏡筒２の光軸から接眼窓３の光軸までの距離とを用いて，上述したように視野角が算出され，電子ビュー・ファインダ65に表示される被写体像の一部をずらすずれ量である視差量が演算される（ステップ77）。
【００６７】
演算された視差量の分，電子ビュー・ファインダ65に，撮像により得られた被写体像の一部がずらされて表示される。図10または図12に示すように，電子ビュー・ファインダ65に表示された画像と対物窓３を介して光学的に結像した被写体像とが重ね合わせられることとなる（ステップ78）。
【００６８】
図10に示すように手振れがあると（ステップ79でＹＥＳ），手振れ検出回路55によって手振れが検出され，表示確認領域89の枠89Ａが赤くなる。これにより，ディジタル・カメラ１が手振れであることがユーザに報知される（ステップ80）。また，手振れ検出回路55によって手振れが検出されないと（ステップ79でＮＯ），表示確認領域89の枠89Ａが青くなる。これにより，ディジタル・カメラ１が手振れでないことがユーザに報知される（ステップ81）。
【００６９】
電源がオフにされないか，撮像モードが変更されなければステップ71からの処理が繰り返される（ステップ82）。
【００７０】
上述の実施例においては，手振れ検出モードに設定されていると視差量が演算され，視差調整が行われているが，上述のように主要被写体までの距離が所定以上遠い場合には視差調整が行われなくともよい。もっとも，主要被写体までの距離が遠くとも視差調整が行われるようにしてもよいのはいうまでもない。
【００７１】
図14は，変形例を示すもので，ディジタル・カメラ１の処理手順を示すフローチャートである。この図において，図13に示す処理と同一の処理ついては同一符号を付して説明を省略する。
【００７２】
図13に示す実施例では，手振れ検出回路55によって手振れであるかどうかが確認され，手振れの有無がユーザに報知されているが，図14に示す実施例では，手振れの有無はユーザには報知されていない。ユーザは，表示確認領域89内の画像の状態を見ることにより手振れの有無を判断することとなる。
【００７３】
図15および図16は，他の変形例を示している。
【００７４】
図15は，電子ビュー・ファインダ65に表示される画像88Ａの一例であり，図９の上図および図11に対応している。図15において，図９の上図などに示すものと同一物については同一符号を付して説明を省略する。
【００７５】
図15においては，視野枠90の右下に比較的小さな表示確認領域111が形成されている。この表示確認領域111にも枠111Ａが形成されている。図９の上図等に示す表示確認領域89は，視野枠90のほぼ１／３程度であったが，図15に示す画像88Ａに表示されている表示確認領域111は，比較的小さい。このように比較的小さい表示確認領域111に，固体電子撮像素子34によって撮像された被写体像の一部が表示される。
【００７６】
図16は，図10または図12に対応するもので，対物窓３を介して結像される光学的な被写体像85に，図15に示す電子ビュー・ファインダ65に表示される画像88Ａが重ねられたものを示している。
【００７７】
表示確認領域111には，電子ビュー・ファインダ65に表示され，かつ固体電子撮像素子34によって撮像された被写体像の一部が，光学的な被写体像85上に重ねられている。表示確認領域111内の画像がぶれていれば，ユーザは手振れがあることが分る。上述したのと同様に手振れの有無に応じて表示確認領域111の枠111Ａの表示形態を変えるようにしてもよい。
【００７８】
図17および図18は，他の変形例を示している。
【００７９】
図17は，電子ビュー・ファインダ65に表示される画像88Ｂの一例であり，図９の上図，図11，図15に対応している。図17において，図９の上図などに示すものと同一物については同一符号を付して説明を省略する。
【００８０】
図17においては，ＡＦターゲット枠94内の領域が表示確認領域121として規定されている。この表示確認領域121にも枠121Ａが形成されている。もっとも，枠121ＡはＡＦターゲット枠94と同じとしてもよい。表示確認領域121に，固体電子撮像素子34によって撮像された被写体像の一部が表示される。
【００８１】
図18は，図10，図12または図16に対応するもので，対物窓３を介して結像される光学的な被写体像85に，図17に示す電子ビュー・ファインダ65に表示される画像88Ｂが重ねられたものを示している。
【００８２】
ＡＦターゲット枠94内の領域に対応する表示確認領域121には，電子ビュー・ファインダ65に表示され，かつ固体電子撮像素子34によって撮像された被写体像の一部が，光学的な被写体像85上に重ねられている。表示確認領域121内の画像がぶれていれば，ユーザは手振れがあることが分る。ユーザは所望の主要被写体をＡＦターゲット枠94に対応するようにカメラ・アングルを定め，かつＡＦターゲット枠94内の画像を見ることとなるので，表示確認領域121内の画像がぼけているかどうかも自然と分る。意識せずに手振れがあるかどうかをユーザは認識できる。手振れの有無に応じて表示確認領域121の枠121Ａの表示形態を変えるようにしてもよい。
【００８３】
図19および図20は，さらに他の変形例を示している。
【００８４】
図19は，電子ビュー・ファインダ65に表示される画像88Ｃの一例であり，図９の上図，図11，図15，図17に対応している。図19において，図９の上図などに示すものと同一物については同一符号を付して説明を省略する。
【００８５】
図19においては，枠131Ａを有する比較的小さな表示確認領域131が規定されている。また，図19に示す画像88Ｃでは，手振れがあることを示す手振れアイコン132が視野枠90内の右下に表示されている。このように，手振れ検出回路55によって手振れが検出された場合には，手振れがあることを示すアイコン等が表示されるようにしてもよい。表示確認領域131内には，固体電子撮像素子34によって撮像された被写体像の一部が表示されるのはいうまでもない。
【００８６】
図20は，図10，図12，図16または図18に対応するもので，対物窓３を介して結像される光学的な被写体像85に，図19に示す電子ビュー・ファインダ65に表示される画像88Ｃが重ねられたものを示している。
【００８７】
表示確認領域131には，電子ビュー・ファインダ65に表示され，かつ固体電子撮像素子34によって撮像された被写体像の一部が，光学的な被写体像85上に重ねられている。手振れがある場合には，表示確認領域131内の画像がぼけることとなり，かつ上述のように手振れアイコン132が表示される。手振れアイコン132をユーザが確認することにより，手振れがあることをユーザが分る。
【００８８】
上述の実施例において，手振れがある場合には音声によりユーザに報知してもよい。その場合には，ディジタル・カメラ１にスピーカが設けられることとなろう。
【符号の説明】
【００８９】
１  ディジタル・カメラ
３  対物窓
11  接眼窓
34  固体電子撮像素子
60  光学ビュー・ファインダ
63  ハーフミラー（偏向装置）
65  液晶ビュー・ファインダ（表示装置）
【図１】
2014002658.tif 000003
【図２】
2014002658.tif 000004
【図３】
2014002658.tif 000005
【図４】
2014002658.tif 000006
【図５】
2014002658.tif 000007
【図６】
2014002658.tif 000008
【図７】
2014002658.tif 000009
【図８】
2014002658.tif 000010
【図９】
2014002658.tif 000011
【図１０】
2014002658.tif 000012
【図１１】
2014002658.tif 000013
【図１２】
2014002658.tif 000014
【図１３】
2014002658.tif 000015
【図１４】
2014002658.tif 000016
【図１５】
2014002658.tif 000017
【図１６】
2014002658.tif 000018
【図１７】
2014002658.tif 000019
【図１８】
2014002658.tif 000020
【図１９】
2014002658.tif 000021
【図２０】
2014002658.tif 000022
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓および上記対物窓を通して見える被写体を覗く接眼窓を備えた光学ビュー・ファインダ，
被写体を撮像し，被写体像を表わす画像データを出力する固体電子撮像装置，
上記光学ビュー・ファインダから覗いた主要被写体と上記固体電子撮像装置から出力された画像データによって表わされる被写体像のうちの主要被写体像とが上記表示装置の上記表示画面に表示された場合に，その主要被写体像と上記主要被写体とが一致するように上記被写体像の一部を上記表示画面に表示する表示装置，ならびに
上記表示装置の上記表示画面に表示されている被写体像の一部を，上記接眼窓から見える被写体に重なるように上記接眼窓に導く偏向装置，
を備えたカメラ。
【請求項２】
カメラの手振れを検出する手振れ検出手段，および
上記手振れ検出手段によって手振れが検出されたことに応じて手振れを報知する手振れ報知手段，
をさらに備えた請求項１に記載のカメラ。
【請求項３】
上記手振れ報知手段は，
上記表示装置の上記表示画面に，手振れしている旨の文字列または手振れしている旨を表わす画像を表示する，あるいは，上記被写体像の一部を囲む枠の形態を，手振れの有無に応じて変えることにより手振れを報知するものである，
請求項２に記載のカメラ。
【請求項４】
上記表示装置は，
カメラから主要被写体までの距離が所定距離以上離れている場合に，上記光学ビュー・ファインダから覗いた主要被写体と上記固体電子撮像装置において撮像された被写体像のうちの主要被写体像とが上記表示装置の上記表示画面に表示された場合に，その主要被写体像と上記主要被写体とが一致するように視差補正をして上記被写体像の一部を上記表示画面に表示するものである，
請求項１に記載のカメラ。
【請求項５】
上記固体電子撮像装置から出力された画像データを記録媒体に記録する記録制御手段，
をさらに備えた請求項１から４のうち，いずれか一項に記載のカメラ。
【請求項６】
カメラの前面に形成され，被写体に向く対物窓および上記対物窓を通して見える被写体を覗く接眼窓を備えた光学ビュー・ファインダを備えたカメラの動作制御方法において，
固体電子撮像装置が，被写体を撮像し，被写体像を表わす画像データを出力し，
表示装置が，上記光学ビュー・ファインダから覗いた主要被写体と上記固体電子撮像装置から出力された画像データによって表わされる被写体像のうちの主要被写体像とが上記表示装置の上記表示画面に表示された場合に，その主要被写体像と上記主要被写体とが一致するように上記被写体像の一部を上記表示画面に表示し，
偏向装置が，上記表示装置の上記表示画面に表示されている被写体像の一部を，上記接眼窓から見える被写体に重なるように上記接眼窓に導く，
カメラの動作制御方法。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
カメラの前面に形成され，被写体に向く対物窓および上記対物窓を通して見える被写体を覗く接眼窓を備えた光学ビュー・ファインダ，
被写体を撮像し，被写体像を表わす画像データを出力する固体電子撮像装置，
上記光学ビュー・ファインダから覗いた主要被写体と上記固体電子撮像装置から出力された画像データによって表わされる被写体像のうちの主要被写体像とが一致するように上記被写体像の一部を表示画面に表示する表示装置，ならびに
上記表示装置の上記表示画面に表示されている被写体像の一部を，上記接眼窓から見える被写体に重なるように上記接眼窓に導く偏向装置，
を備えたカメラ。
【請求項２】
カメラの手振れを検出する手振れ検出手段，および
上記手振れ検出手段によって手振れが検出されたことに応じて手振れを報知する手振れ報知手段，
をさらに備えた請求項１に記載のカメラ。
【請求項３】
上記手振れ報知手段は，
上記表示装置の上記表示画面に，手振れしている旨の文字列または手振れしている旨を表わす画像を表示する，あるいは，上記被写体像の一部を囲む枠の形態を，手振れの有無に応じて変えることにより手振れを報知するものである，
請求項２に記載のカメラ。
【請求項４】
上記表示装置は，
カメラから主要被写体までの距離が所定距離以上離れている場合に，上記光学ビュー・ファインダから覗いた主要被写体と上記固体電子撮像装置において撮像された被写体像のうちの主要被写体像とが一致するように視差補正をして上記被写体像の一部を上記表示画面に表示するものである，
請求項１に記載のカメラ。
【請求項５】
上記固体電子撮像装置から出力された画像データを記録媒体に記録する記録制御手段，
をさらに備えた請求項１から４のうち，いずれか一項に記載のカメラ。
【請求項６】
カメラの前面に形成され，被写体に向く対物窓および上記対物窓を通して見える被写体を覗く接眼窓を備えた光学ビュー・ファインダを備えたカメラの動作制御方法において，
固体電子撮像装置が，被写体を撮像し，被写体像を表わす画像データを出力し，
表示装置が，上記光学ビュー・ファインダから覗いた主要被写体と上記固体電子撮像装置から出力された画像データによって表わされる被写体像のうちの主要被写体像とが一致するように上記被写体像の一部を表示画面に表示し，
偏向装置が，上記表示装置の上記表示画面に表示されている被写体像の一部を，上記接眼窓から見える被写体に重なるように上記接眼窓に導く，
カメラの動作制御方法。
【国際調査報告】
2014002658.tif 000023
2014002658.tif 000024
2014002658.tif 000025
2014002658.tif 000026